(57)【要約】　　　（修正有）【課題】物置空所の前面開口部を遮蔽でき、且つ物置空所内に設置した物品が物置空所の開口前面よりはみ出していも、遮蔽部材で遮蔽できる、物置空所を有する収納キャビネットの提供。【解決手段】前面が開口する物置空所２を形成し、物置空所２の底板２１が物置空所の開口前面２ａより手前側にはみ出している物置空所付き収納キャビネットにおいて、物置空所２内の上端寄り位置に、物置空所２の前面部を開閉自在に遮蔽し得る遮蔽部材５を設け、該遮蔽部材５を、物置空所２内への格納位置と、底板前縁２１ａ付近の引出位置との間で前後に移動させ得るようにしている。【選択図】図６
0003098661.tif 000002
【実用新案登録請求の範囲】
【請求項１】
キャビネット本体（１）の一部に前面が開口する物置空所（２）を形成し、該物置空所（２）の底板（２１）が該物置空所（２）の開口前面（２ａ）より手前側に所定長さ（Ｍ）だけはみ出している物置空所付き収納キャビネットにおいて、
前記物置空所（２）内の上端寄り位置に、該物置空所（２）の前面部を開閉自在に遮蔽し得る遮蔽部材（５）を設ける一方、
前記遮蔽部材（５）は、前後スライド装置（４，４）によって前記物置空所（２）内の開口前面（２ａ）付近に格納した格納位置と、前記底板（２１）の前縁（２１ａ）付近まで手前側に引出した引出位置との間で前後に移動させ得るようにしている、
ことを特徴とする物置空所付き収納キャビネット。
【請求項２】
請求項１において、
物置空所（２）内の天井付近に棚板（３）を位置させ、
棚板（３）を前後スライド装置（４，４）によって前後にスライドさせ得るようにしているとともに、
前記棚板（３）の前端部分に遮蔽部材（５）を取付けている、
ことを特徴とする物置空所付き収納キャビネット。
【考案の詳細な説明】
【０００１】
【考案の属する技術分野】
本願考案は、例えばキッチンルームに設置される収納キャビネットに関し、さらに詳しくは、キャビネット本体の一部に前面が開口する物置空所を設けた物置空所付き収納キャビネットに関するものである。
【０００２】
【従来の技術】
この種のキッチンルーム用の収納キャビネットには、例えば図７及び図８に示すように、戸棚式収納部７や引出し式収納部８のほかに、台所用電気機器（例えば電子レンジ１１、電気ポット１２、トースター１３等）を設置するための物置空所２が形成されているものが多い（例えば、特許文献１参照）。
【０００３】
この種の収納キャビネットの物置空所２は、左右の側板２３，２３、後板、天井板、底板２１で囲われ、前面が開口した状態で形成されている。尚、図７及び図８に示す公知例のものでは、物置空所２の底板２１は、前後にスライドし得るようになっている。又、このスライド底板２１の前端２１ａは、スライド底板を奥側に押し込んだ状態でも、図８に示すように物置空所２の開口前面２ａ（側板２３の前面）より手前側に所定長さＬ（例えばＬ＝１５０〜１７０ｍｍ）だけ突出している。そして、例えば電子レンジ１１のような比較的奥行き幅が大きい電気機器を底板２１上に置くと、該電気機器（電子レンジ）１１の一部が物置空所２の開口前面２ａより手前側にはみ出すようになる（図８参照）。
【０００４】
【特許文献１】
登録実用新案第３０９１６４１号公報（図１、図２）
【０００５】
【考案が解決しようとする課題】
ところで、この種の収納キャビネットの物置空所２は、前面が開放されたままであるので、該物置空所２内に収納された物品（１１，１２，１３等）がキャビネット前面側から丸見えとなり、美観を損ねるという問題がある。特に、該物置空所２内には、図７に示す電気機器ばかりでなく、美観的に見栄えの良くない物品を置くこともあり、その場合には物置空所２内が丸見えであると、一層美観を損ねる。
【０００６】
尚、物置空所２内を見えなくするためには、物置空所２の開口前面２ａに、例えば左右開閉式のカーテンや上下開閉式のロールスクリーン等の開閉式遮蔽部材を設けることが考えられる。その場合、該遮蔽部材を物置空所２の天井前端部に固定的に取付け得るが、この種の収納キャビネット（図８）のように、物置空所２の底板２１の前端２１ａが物置空所２の開口前面２ａより手前側に突出しているもので、該突出部分（符号Ｌの範囲）の底板２１上に物品（例えば電子レンジ１１）がはみ出し状態で設置されている場合は、該はみ出し物品が邪魔になって定位置に取付けた遮蔽部材（カーテンやロールスクリーン）で目隠しすることができない（又は、遮蔽部材で隠そうとすると、遮蔽部材のはみ出し物品被覆部分が手前側に膨れて、余計に見栄えが悪くなる）。
【０００７】
本願考案は、収納キャビネットにおける上記した従来の問題点（物置空所内が前面側から丸見えという問題点）に鑑み、物置空所の底板が物置空所の開口前面より手前側にはみ出したものであっても、該物置空所内を開閉式の遮蔽部材で遮蔽できるようにした、物置空所付き収納キャビネットを提供することを目的としている。
【０００８】
【課題を解決するための手段】
本願考案は、上記課題を解決するための手段として次の構成を有している。
【０００９】
本願考案は、キャビネット本体の一部に前面が開口する物置空所を形成した物置空所付き収納キャビネットを対象にしている。この種の収納キャビネットでは、物置空所は、キャビネット本体の中段位置に設けられ且つ左右にかなりの幅（各種サイズのものがあるが、例えば１２００ｍｍ幅、１５００ｍｍ幅等のものがある）を有している。又、この種の収納キャビネットでは、一般に物置空所の底板が該物置空所の開口前面より所定長さ（例えば１５０〜１７０ｍｍ）だけ手前側にはみ出している。
【００１０】
本願考案では、物置空所内の上端寄り位置に、該物置空所の前面部を開閉自在に遮蔽し得る遮蔽部材を設けている。この遮蔽部材は、上部でシート材（幕材）を巻取るようにしたロールスクリーンが最適であるが、多数枚の細幅薄板を糸で上下に連続させた上下伸縮式のブラインドや、左右開閉式のカーテンも採用可能である。
【００１１】
この遮蔽部材は、前後スライド装置によって物置空所内の開口前面付近に格納した格納位置と、物置空所の底板の前縁（物置空所の開口前面より手前側に突出している）付近まで前方に引出した引出位置との間で前後に移動させ得るようにしている。尚、前後スライド装置は、汎用されているスライドレール（左右２本）が使用できる。
【００１２】
又、本願考案では、物置空所内の天井付近に棚板を位置させ、該棚板を前後スライド装置（例えばスライドレール）によって前後にスライドさせ得るようにするとともに、該棚板の前端部分に遮蔽部材を取付けるようにしてもよい。
【００１３】
本願考案の物置空所付き収納キャビネットは、主としてキッチンルームに設置されるものである。そして、物置空所には、一般に電子レンジや電気炊飯器や電気ポットやトースター等の、キッチンルームで使用する電気機器が収納・設置される。尚、該物置空所には、前記電気機器類のほかに、美観的に見栄えの良くない物品を置くことも多々ある。
【００１４】
ところで、物置空所の底板上に設置した各種物品（例えば電気機器）を使用するときには、遮蔽部材は開放しておく必要がある。その場合、該遮蔽部材は、開放状態（巻取り又は縮小状態）で且つ物置空所の開口前面付近（格納位置）に押し込んでおく。この状態では、遮蔽部材が物置空所内の上端寄り開口前面付近に格納され且つコンパクトに巻取り又は縮小されているので、目につきにくく、しかも邪魔にならない。尚、物置空所の底板上には、例えば電子レンジのような奥行き幅の大きいものも載せられる。その場合、上下開閉式の遮蔽部材（例えばロールスクリーン）を使用したものでは、該物品（電子レンジ）の一部が格納位置にある遮蔽部材の直下位置を越えて手前側にはみ出しているが、遮蔽部材の格納状態では、遮蔽部材が上方位置で巻取られている（又は縮小している）ので、該遮蔽部材が該物品に接触することはない。尚、カーテンのような左右開閉式の遮蔽部材では、格納状態において物置空所内の左右側方位置に集約されているので、この場合も遮蔽部材が底板上の物品に接触することはない。
【００１５】
そして、物置空所内に収納されている各種物品が、物置空所の開口前面（格納位置にある遮蔽部材の直下）より手前側にはみ出していない場合には、遮蔽部材を格納位置のままで遮蔽姿勢にして、物置空所の開口前面を遮蔽することができる。この状態では、物置空所の前面開口部分が遮蔽部材で遮蔽されていて、物置空所内がほとんど完全に見えなくなる。又、この遮蔽部材による物置空所の遮蔽状態では、該遮蔽部材により物置空所内にホコリが侵入するのを防止する機能がある。
【００１６】
他方、物置空所の底板上に設置されている物品が物置空所の開口前面より手前側にはみ出している場合において、遮蔽部材で遮蔽する際には、まず該遮蔽部材を手前側引出位置まで引出す。この状態では、遮蔽部材が物置空所底板上の物品はみ出し部の前面より手前側に位置している。そして、この状態から、遮蔽部材（上下開閉式の場合）の幕材を引き下ろすと、該幕材が底板上の物品前面（はみ出し部前面）より手前側に離間した位置において、物置空所の前面開口を遮蔽するようになる。尚、この場合、遮蔽部材（幕材）の左右各端縁と物置空所の左右側板前面との間には若干の隙間（例えば１５０〜１７０ｍｍの隙間）ができるが、遮蔽部材による遮蔽状態では、キャビネット前面側からは物置空所内がほとんど見えなくなる。
【００１７】
又、上記のように、物置空所内の天井付近に棚板を設け、該棚板を前後スライドさせ得るようにするとともに、該棚板の前端部分に遮蔽部材を取付けたものでは、次の作用がある。即ち、この場合は、該棚板を引出すことで遮蔽部材も引出位置（物品はみ出し部分の前面より手前側位置）まで引出すことができるが、その棚板の引出し状態では、該棚板が物置空所の開口前面より手前側に突出するようになり、該棚板の上面を、その上部のキャビネット収納部分に物品（例えば食器）を収納する際の仮受け棚として利用できる。
【００１８】
【考案の効果】
このように、本願考案の物置空所付き収納キャビネットでは、開閉式の遮蔽部材によって物置空所の前面部を遮蔽することができるので、該物置空所内に収納・設置した各種物品を必要に応じて遮蔽部材で外部から見えなくすることができ、従来、該各種物品が見えて見栄えが悪かったものを改善し得るという効果がある。
【００１９】
又、遮蔽部材で物置空所の前面部を遮蔽すると、該遮蔽部材により物置空所内へのホコリの侵入を防止できるという効果もある。
【００２０】
又、遮蔽部材は、前後スライド装置により、前後にスライドし得るようになっているので、物置空所の底板の前端が物置空所の開口前面より手前側にはみ出し且つ該底板はみ出し部分に物品を設置した場合でも、該物品の手前側を遮蔽部材で遮蔽することができるという効果がある。
【００２１】
又、物置空所内の天井付近に棚板を設け、該棚板を前後スライドさせ得るようにするとともに、該棚板の前端部分に遮蔽部材を取付けたものでは、棚板の引出し状態において、該棚板の上面を、その上部のキャビネット収納部分に物品（例えば食器）を収納する際の仮受け棚として利用でき、該棚板を遮蔽部材の取付材と仮受け棚とに共用できるという効果がある。
【００２２】
【考案の実施の形態】
図１〜図６を参照して本願実施形態を説明すると、この実施形態の物置空所付き収納キャビネットは、キャビネット本体１の上部側に引き戸式収納部６と、キャビネット本体１の中段部に前面が開口する物置空所２と、キャビネット本体１の下部側に複数個の引出し式収納部８及び電気炊飯器１４設置用のスペース９とを形成している。尚、上部側の引き戸式収納部６や下部側の各引出し式収納部８及び電気炊飯器設置用スペース９等は、各種のレイアウトが可能である。又、キャビネット本体１の大きさ・形状等は、適宜に設計変更できるが、図示例のものは幅が１５００ｍｍ程度のものを採用している。
【００２３】
キャビネット本体１の中段部に形成している物置空所２は、左右の側板２３，２３、後板、天井板、底板２１によって前面を除く各面が閉塞されている。尚、この物置空所２は、左右の側板厚さを除いてキャビネット本体１の全幅に亘って形成されている。
【００２４】
物置空所２の底板２１は、この実施形態では前後にスライド可能なスライド底板が使用されている。この底板（スライド底板）２１は、最奥まで押し込んだ状態で、その底板前端２１ａが物置空所２の開口前面２ａより所定長さＭ（例えばＭ＝１５０〜１７０ｍｍ程度）だけ手前側にはみ出している。尚、他の実施形態では、底板２１は固定式のものを採用することができる。
【００２５】
物置空所２内の天井付近には、棚板３が前後スライド自在に設置されている。即ち、この実施形態では、例えば図６に拡大図示するように、物置空所２内の天井に近接した位置において、棚板３の左右各側縁と物置空所２の左右各側板２３，２３内面との間にそれぞれ前後スライド装置４，４を介設しており、該各前後スライド装置４，４によって棚板３を奥側格納位置（図２及び、図４〜図６の実線図示位置）と手前側引出位置（図３及び、図４〜図６の鎖線図示位置）との間で前後にスライドさせ得るようになっている。尚、この前後スライド装置４，４には、一般的なスライドレール（２本のレールをスライド自在に嵌合させたもの）が採用されている。
【００２６】
又、この棚板３の前端部分には、物置空所２の前面開口部を開閉自在に遮蔽するための遮蔽部材５が取付けられている。遮蔽部材５としては、この実施形態では、ロールスクリーン５１が使用されている。このロールスクリーン５１は、支持基台５２の左右両端部に設けた各軸受ブラケット５３，５３間に、幕材５５を軸芯の回りに巻取った幕材ロール５４を介設したものである。幕材５５の引出し側始端部には長尺の取手棒５６が設けられている。尚、このロールスクリーン５１の幕材ロール５４（幕材５５の幅）は、左右の側板２３，２３間に収納し得る状態で可及的に長いもの（広幅のもの）を使用している。
【００２７】
軸受ブラケット５３，５３部分には、幕材巻上げ用のバネ（図示省略）と、該幕材５５を任意の長さだけ引出した状態でロックするためのロック機構を内蔵している。尚、このロールスクリーン５１は、一般に市販されているものが使用できる。又、このロールスクリーン５１に使用されている幕材巻上げ機構（バネ）やロック機構は、従来から汎用されているものであり、且つ本願の要旨でないので、詳しい説明は省略する。
【００２８】
このロールスクリーン５１は、支持基台５２を棚板３の前面に適宜の固定手段で固定（例えば直接ビス止めしたりあるいは固定具を使用したり）して設置されている。そして、棚板３を最奥まで押し込んだ状態では、図２及び図４〜図６の各図に示すように、該ロールスクリーン５１の前端が物置空所２の開口前面２ａとほぼ同位置になっている。又、ロールスクリーン５１の幕材ロール５４は、物置空所２の左右内幅より僅かに短い程度の長さを有しており、該幕材ロール５４の幕材両端部と各側板２３，２３の内面との隙間はごく僅か（例えば３０〜４０ｍｍ程度）である。
【００２９】
この遮蔽部材５（ロールスクリーン５１）は、棚板３を前後にスライドさせることによって、該棚板３とともに前後にスライドさせることができる。即ち、棚板３を最奥まで押し込んだ状態では、図２、あるいは図４〜図６に実線図示するように、ロールスクリーン５１が物置空所２内の上端寄りで物置空所２の開口前面２ａに近い位置（格納位置）にある。尚、このとき幕材ロール５４を完全に巻き取った状態では、コンパクトになっているので、該ロールスクリーン５１がほとんど邪魔になることはない。又、棚板３を手前側に引出すと（ロールスクリーン５１を持って引出す）、図３あるいは図４〜図６に鎖線図示するように、ロールスクリーン５１′が物置空所底板２１の前端２１ａを僅かに越える位置（引出位置）まで前進する。そして、このロールスクリーン５１は、格納位置及び引出位置のいずれにある状態でも、取手棒５６を摘まんで引き下げると、幕材５５で、図３の符号５５あるいは図６の符号５５又は５５′で示すように物置空所２の前面開口を遮蔽できる。
【００３０】
ところで、物置空所２内の底板２１上には、各種の電気機器（図示例では、電子レンジ１１、電気ポット１２、トースター１３）等の物品が設置されるが、電子レンジ１１のように奥行き幅の大きいものでは、その一部が物置空所２の開口前面２ａよりはみ出すことがある。そして、この場合は、ロールスクリーン５１が格納位置のままでは電子レンジ１１の前面を遮蔽できないが、該ロールスクリーン５１を符号５１′で示すように手前側に引出すと、図３の符号５５あるいは図６の符号５５′で示すように、幕材５５を電子レンジ１１の前面から離間させた状態で遮蔽することができる。又、幕材ロール５４として、長い幕材５５を巻付けたものを使用すると、例えば図３に符号５５″で示すようにキャビネット本体１の下部側に設けた電気炊飯器設置用のスペース９の開口前面も遮蔽することができる。尚、この場合は、幕材５５の左右各端縁と物置空所２の左右側板２３，２３の前面との間に若干の隙間（例えば１５０〜１７０ｍｍの隙間）ができるが、幕材５による遮蔽状態では、キャビネット前面側からは物置空所２内がほとんど見えなくなる（斜め方向からは物置空所２内が若干範囲見える）。尚、物置空所２の底板２１上に載せられるすべての物品が、物置空所２の開口前面２ａよりはみ出さない場合は、ロールスクリーン５１を格納位置（図６の実線図示位置）に位置させた状態で、幕材５５を展張（取手棒５６を下方に引き下ろす）させることができる。この場合は、キャビネット本体１の前面側方からも物置空所２内はほとんど完全に見えなくなるとともに、ロールスクリーン５１の幕材５５で物置空所２内にホコリが侵入するのを防止できる。
【００３１】
ところで、ロールスクリーン５１を引出位置に位置させる場合は、図３又は図４〜図６に鎖線図示するように棚板３を手前側に引出すが、手前側に引出された棚板３は、キャビネット本体１の上部側収納部６の前面よりかなり手前側に突出している。そして、該上部側収納部６に物品（例えば食器等）を収納する際には、突出している棚板３の上面に一時的に物品を載せることができ、該棚板３を仮受け棚として利用できる。
【００３２】
この実施形態の物置空所付き収納キャビネットでは、上記のように開閉式の遮蔽部材５（ロールスクリーン５１）によって物置空所２の前面部を遮蔽することができるので、該物置空所２内に収納・設置した各種物品（１１，１２，１３等）を必要に応じて幕材５５で被覆する（外部から見えなくする）ことができ、従来、該各種物品が見えて見栄えが悪かったものを改善し得る。
【００３３】
又、遮蔽部材５（ロールスクリーン５１）は、前後スライド装置４，４により、前後にスライドし得るようになっているので、物置空所２の底板２１の前端２１ａが物置空所の開口前面２ａより手前側にはみ出し且つ該底板はみ出し部分に物品（例えば電子レンジ１１）を設置した場合でも、該物品の手前側を遮蔽部材（幕材５５）で遮蔽することができる。
【００３４】
又、この実施形態では、遮蔽部材５（ロールスクリーン５１）を前後にスライド可能な棚板３の前面部に取付けているので、棚板３の引出し状態（図３及び図４〜図６の鎖線図示状態）において、該棚板３の上面を仮受け棚として利用できる。
【図面の簡単な説明】
【図１】本願実施形態の物置空所付き収納キャビネットの正面図である。
【図２】図１の右側面図である。
【図３】図２からの状態変化図である。
【図４】図１のＩＶ−ＩＶ断面図である。
【図５】図４の一部省略拡大図である。
【図６】図５のＶＩ−ＶＩ断面図である。
【図７】公知の収納キャビネットの正面図である。
【図８】図７の右側面図である。
【符号の説明】
１はキャビネット本体、２は物置空所、２ａは開口前面、３は棚板、４は前後スライド装置、５は遮蔽部材、２１は底板、２１ａは底板前端、５１はロールスクリーン、５５は幕材である。
【図１】
0003098661.tif 000003
【図２】
0003098661.tif 000004
【図３】
0003098661.tif 000005
【図４】
0003098661.tif 000006
【図５】
0003098661.tif 000007
【図６】
0003098661.tif 000008
【図７】
0003098661.tif 000009
【図８】
0003098661.tif 000010